(57)【特許請求の範囲】
【請求項１】
自装置に公衆網を介して接続される無線基地局と、コアネットワークとの間のトラヒックを中継する中継手段と、
前記中継手段で予め定めたメッセージが中継された場合、前記コアネットワークの外部に設置され、且つ前記無線基地局に無線接続可能な移動端末に対してサービスを提供するサーバに、前記サービスの提供を開始させる制御手段と、
を備えたゲートウェイ装置。
【請求項２】
請求項１において、
前記制御手段は、前記メッセージとして、前記移動端末からの位置更新に係るメッセージが中継された場合に、前記サーバに前記サービスの提供を開始させる、ゲートウェイ装置。
【請求項３】
請求項１において、
前記制御手段は、前記メッセージとして、前記移動端末による他の無線基地局から前記無線基地局へのハンドオーバに係るメッセージが中継された場合に、前記サーバに前記サービスの提供を開始させる、ゲートウェイ装置。
【請求項４】
請求項１において、
前記制御手段は、前記メッセージとして、前記移動端末からの発信に係るメッセージが中継された場合に、前記サーバに前記サービスの提供を開始させる、ゲートウェイ装置。
【請求項５】
請求項１において、
前記制御手段は、前記メッセージとして、前記移動端末への着信に係るメッセージが中継された場合に、前記サーバに前記サービスの提供を開始させる、ゲートウェイ装置。
【請求項６】
請求項１〜５のいずれか一項において、
前記制御手段は、前記サービスの開始に際して、前記メッセージに含まれる前記無線基地局の識別情報、前記移動端末の識別情報、前記移動端末の位置情報、及び前記移動端末の通信状態に関する情報の少なくとも一つを前記サーバへ通知する、ゲートウェイ装置。
【請求項７】
請求項１〜６のいずれか一項において、
前記制御手段は、前記メッセージに含まれる前記移動端末の識別情報が予め定めた移動端末の識別情報と一致する場合に、前記サーバに前記サービスの提供を開始させる、ゲートウェイ装置。
【請求項８】
無線基地局と、
コアネットワークの外部に設置され、且つ前記無線基地局に無線接続可能な移動端末に対してサービスを提供するサーバと、
前記無線基地局に公衆網を介して接続され、前記無線基地局と前記コアネットワークとの間のトラヒックを中継するゲートウェイと、を備え、
前記ゲートウェイは、予め定めたメッセージを中継した場合、前記サーバに前記サービスの提供を開始させる、通信システム。
【請求項９】
ゲートウェイに用いる通信制御方法であって、
前記ゲートウェイに公衆網を介して接続される無線基地局と、コアネットワークとの間のトラヒックを中継し、
予め定めたメッセージを中継した場合、前記コアネットワークの外部に設置され、且つ前記無線基地局に無線接続可能な移動端末に対してサービスを提供するサーバに、前記サービスの提供を開始させる、
ことを含む通信制御方法。
【請求項１０】
ゲートウェイに、
前記ゲートウェイに公衆網を介して接続される無線基地局と、コアネットワークとの間のトラヒックを中継する処理と、
予め定めたメッセージを中継した場合、前記コアネットワークの外部に設置され、且つ前記無線基地局に無線接続可能な移動端末に対してサービスを提供するサーバに、前記サービスの提供を開始させる処理と、
を実行させるための通信制御プログラム。
【発明の詳細な説明】
【技術分野】
【０００１】
本発明は、ゲートウェイ装置、通信システム、並びに通信制御方法及びプログラムに関し、特にフェムト基地局を用いてプレゼンスサービス等のサービスを提供する技術に関する。
【背景技術】
【０００２】
近年、屋内へ設置可能な無線基地局の開発が進められている。この無線基地局により形成されるセルは、そのカバーエリアが屋外に設置される無線基地局と比較して極めて小さいことから、一般にフェムトセルと呼ばれる。そこで、以降の説明においては、フェムトセルを形成する無線基地局をフェムト基地局と呼称する。これに対して、フェムトセルより大規模なセル(一般にマクロセルと呼ばれる)を形成する無線基地局をマクロ基地局と呼称し、フェムト基地局と区別することがある。
【０００３】
また、フェムト基地局は、インターネット等の公衆網を経由して移動体通信網(コアネットワーク)に編入する。すなわち、フェムト基地局は、マクロ基地局とは異なり、基地局制御装置により制御されること無く動作する。フェムト基地局は、マクロ基地局のカバーエリアを補うために導入されることが多い。
【０００４】
さらに、フェムト基地局は、そのサービスエリアが小さく且つ設置がマクロ基地局と比較して容易であることから、上記のような不感地帯での利用に限らず、設置場所に固有のサービスへの利用が検討されている。
【０００５】
このようなサービスの一つに、「プレゼンス」と呼ばれるサービスがある。プレゼンスサービスは、或る人や物が或る場所に存在するか否かを、その人や物へとアクセスする主体に知れるようにするものである。プレゼンスサービスは、インターネットや無線ＬＡＮ等を使用する通信システムで既に提供されている。
【０００６】
フェムト基地局を用いてプレゼンスサービスを提供するケースとして、例えばショッピングモールが挙げられる。移動端末を所持するユーザが、フェムト基地局が店舗毎に設置されたショッピングモールを訪れたとする。この場合、移動端末が各フェムト基地局のサービスエリアへ進入する度毎に情報配信等のサービスを提供できれば、店舗の売り上げが伸びる可能性がある。
【０００７】
例えば特許文献１に、移動端末が特定エリアへ進入した際に、特定のサービスを開始するシステムが記載されている。このシステムでは、無線基地局は、自局のサービスエリア内に移動端末が進入した際、移動端末のユーザ識別子を含む位置登録情報を交換局に対して送信する。交換局は、データベースを参照して、ユーザ識別子に対応するサービス起動条件情報を取得すると共に、位置登録情報がサービス起動条件情報に該当する場合に、サービス起動条件情報に基づくサービスを起動する。
【０００８】
また、特許文献２には、フェムト基地局を用いた広告配信システムが記載されている。このシステムでは、フェムト基地局は、移動端末が所望の情報を取得するためにパケット通信を開始した際に、そのパケット通信に割り込ませて、自局とローカルに或いはインターネットを介して接続される記憶装置に格納される広告データを、移動端末に対して配信する。
【０００９】
さらに、特許文献３には、フェムト基地局を用いた屋内機器制御システムが記載されている。このシステムでは、サーバが、自身とローカル接続されたフェムト基地局のサービスエリアへの移動端末の出入りをトリガとして、屋内機器を制御する。
【先行技術文献】
【特許文献】
【００１０】
【特許文献１】特開２００３−１４３６３４号公報
【特許文献２】特開２００９−２１２６６３号公報
【特許文献３】特開２００８−２８３６４８号公報
【発明の概要】
【発明が解決しようとする課題】
【００１１】
しかしながら、上記の特許文献１〜３には、その導入が困難であるという課題があった。具体的には、上記の特許文献１では、既存のコアネットワーク設備に改良を加える必要がある。このため、導入に際してはコアネットワークの運用を停止しなければならない。この場合、コアネットワークに帰属する全ての移動端末が通信不可となる。また、トラフィックの増大に伴って、コアネットワークでの処理に負荷がかかる。また、上記の特許文献２及び３に記載のフェムト基地局は、一般的なフェムト基地局と異なり、コアネットワークへの編入に必要で無い特殊なインタフェースや通信機能を有する。このような特殊なインタフェースや通信機能の追加に伴ってフェムト基地局の価格が高額となるため、導入に際してはユーザに少なからず費用負担を強いることとなる。
【００１２】
従って、本発明の目的は、コアネットワーク設備に改良を施すこと無く、且つ既存のフェムト基地局を有効利用してプレゼンスサービス等のサービスを提供することにある。
【課題を解決するための手段】
【００１３】
上記の目的を達成するため、本発明の一態様に係るゲートウェイ装置は、自装置に公衆網を介して接続される無線基地局と、コアネットワークとの間のトラヒックを中継する中継手段と、前記中継手段で予め定めたメッセージが中継された場合、前記無線基地局に無線接続可能な移動端末に対してサービスを提供するサーバに、前記サービスの提供を開始させる制御手段とを備える。
【００１４】
また、本発明の一態様に係る通信システムは、無線基地局と、前記無線基地局に無線接続可能な移動端末に対してサービスを提供するサーバと、前記無線基地局に公衆網を介して接続され、前記無線基地局とコアネットワークとの間のトラヒックを中継するゲートウェイと備える。前記ゲートウェイは、予め定めたメッセージを中継した場合、前記サーバに前記サービスの提供を開始させる。
【００１５】
また、本発明の一態様に係る通信制御方法は、ゲートウェイに用いる通信制御方法を提供する。この通信制御方法は、前記ゲートウェイに公衆網を介して接続される無線基地局と、コアネットワークとの間のトラヒックを中継し、予め定めたメッセージを中継した場合、前記無線基地局に無線接続可能な移動端末に対してサービスを提供するサーバに、前記サービスの提供を開始させることを含む。
【００１６】
さらに、本発明の一態様に係る通信制御プログラムは、ゲートウェイに、前記ゲートウェイに公衆網を介して接続される無線基地局と、コアネットワークとの間のトラヒックを中継する処理と、予め定めたメッセージを中継した場合、前記無線基地局に無線接続可能な移動端末に対してサービスを提供するサーバに、前記サービスの提供を開始させる処理とを実行させる。
【発明の効果】
【００１７】
本発明によれば、コアネットワーク設備に改良を施すこと無く、且つ既存のフェムト基地局を有効利用してプレゼンスサービス等のサービスを提供することが可能である。
【図面の簡単な説明】
【００１８】
【図１】本発明の実施の形態に係る通信システムの構成例を示したブロック図である。
【図２】本発明の実施の形態に係るゲートウェイの具体的な構成例を示したブロック図である。
【図３】本発明の実施の形態に係る通信システムの第１の動作例を示したシーケンス図である。
【図４】本発明の実施の形態に係る通信システムの第２の動作例を示したシーケンス図である。
【図５】本発明の実施の形態に係る通信システムの第３の動作例を示したシーケンス図である。
【発明を実施するための形態】
【００１９】
以下、本発明に係るゲートウェイ及びこれを適用する通信システムの実施の形態を、図１〜図５を参照して説明する。なお、各図面において、同一要素には同一の符号が付されており、説明の明確化のため、必要に応じて重複説明は省略される。
【００２０】
図１に示すように、本実施の形態に係る通信システム１は、無線基地局１０と、サービス提供サーバ２０と、ＲＡＮ−ＧＷ(Ｒａｄｉｏ Ａｃｃｅｓｓ Ｎｅｔｗｏｒｋ Ｇａｔｅｗａｙ)３０とを含む。無線基地局１０は、インターネット等の公衆網２を経由してコアネットワーク３に編入し、以てフェムト基地局として動作する。サービス提供サーバ２０は、無線基地局２０に無線接続可能な移動端末４０に対して、所定のサービス(その詳細については後述する)を提供する。ＲＡＮ−ＧＷ３０は、無線基地局１０とコアネットワーク３との間のトラフィックを中継する。
【００２１】
なお、サービス提供サーバ２０は、ＲＡＮ−ＧＷ３０とローカル接続されていても良い。また、図示を省略するが、コアネットワーク３には、１以上のマクロ基地局と、１以上の基地局制御装置(ＲＮＣ：Ｒａｄｉｏ Ｎｅｔｗｏｒｋ Ｃｏｎｔｒｏｌｌｅｒ)とで構成されるＲＡＮが接続される。さらに、移動端末４０には、携帯電話機や、無線通信機能を有するＰＣ(Ｐｅｒｓｏｎａｌ Ｃｏｍｐｕｔｅｒ)等を用いることができる。
【００２２】
動作において、ＲＡＮ−ＧＷ３０は、所定のメッセージ(例えば、移動端末４０からの位置更新要求(Ｌｏｃａｔｉｏｎ Ｕｐｄａｔｉｎｇ Ｒｅｑｕｅｓｔ))の中継をトリガとして、サービス提供サーバ２０に、サービスの提供を開始させる。
【００２３】
このため、通信システム１においては、コアネットワーク３の設備には何ら改良を施すこと無く、且つ無線基地局１０には一般的なフェムト基地局を用いて、プレゼンスサービス等のサービスを提供することができる。
【００２４】
以下、本実施の形態の具体的な構成例及び動作例を、図２〜図５を参照して詳細に説明する。
【００２５】
図２に示すように、ＲＡＮ−ＧＷ３０は、中継部３１と、制御部３２とを備えている。この内、中継部３１は、無線基地局１０とコアネットワークの間で種々のメッセージを中継する。一方、制御部３２は、サービス開始管理部３３を含む。サービス開始管理部３３は、コピーフラグと、サービス開始フラグとを管理する。
【００２６】
ここで、コピーフラグは、無線基地局１０のＩＭＳＩ(Ｉｎｔｅｒｎａｔｉｏｎａｌ Ｍｏｂｉｌｅ Ｓｕｂｓｃｒｉｂｅｒ Ｉｄｅｎｔｉｔｙ)、移動端末４０のＩＭＳＩ、移動端末４０の位置情報(緯度、経度等)、及び移動端末４０の通信状態に関する情報(発信中、着信中、通話中等の状態を示す情報)を取得すべきメッセージを判別するための情報である。なお、以降の説明においては、無線基地局１０のＩＭＳＩをＩＭＳＩ．Ｆｅｍｔｏと表記し、移動端末４０のＩＭＳＩをＩＭＳＩ．ＵＥと表記する。また、移動端末４０の通信状態に関する情報を、通信状態情報と呼称する。
【００２７】
コピーフラグに例えばＬＯＣＡＴＩＯＮ ＵＰＤＡＴＩＮＧ ＲＥＱＵＥＳＴが設定されている場合、制御部３２は、中継部３１でＬＯＣＡＴＩＯＮ ＵＰＤＡＴＩＮＧ ＲＥＱＵＥＳＴが中継された際に、ＬＯＣＡＴＩＯＮ ＵＰＤＡＴＩＮＧ ＲＥＱＵＥＳＴ中のＩＭＳＩ．Ｆｅｍｔｏ、ＩＭＳＩ．ＵＥ、位置情報、及び通信状態情報をコピーして保持する。
【００２８】
一方、サービス開始フラグは、サービス提供サーバ２０によるサービス開始のトリガとすべきメッセージを判別するための情報である。
【００２９】
サービス開始フラグに例えばＬＯＣＡＴＩＯＮ ＵＰＤＡＴＩＮＧ ＲＥＱＵＥＳＴが設定されている場合、制御部３２は、中継部３１でＬＯＣＡＴＩＯＮ ＵＰＤＡＴＩＮＧ ＲＥＱＵＥＳＴが中継された場合に、保持しているＩＭＳＩ．Ｆｅｍｔｏ、ＩＭＳＩ．ＵＥ、位置情報、及び通信状態情報の少なくとも一つを含めたサービス起動メッセージを、サービス提供サーバ２００に送信する。
【００３０】
また、無線基地局１０は、無線通信部１１と、制御部１２とを備えている。この内、無線通信部１１は、アンテナを介して移動端末４０との無線通信を行う。一方、制御部１２は、無線基地局１０全体の制御に加えて、公衆網２及びＲＡＮ−ＧＷ３０を介して、コアネットワーク３との通信を行う。
【００３１】
さらに、サービス提供サーバ２０は、サービス管理部２１と、制御部２２とを備えている。この内、サービス管理部２１は、サービス内容を管理する。ここで、サービス内容には、外部サーバ５０に情報配信を要求することや、家電機器６０を制御すること等が含まれる。
【００３２】
一方、制御部２２は、サービス提供サーバ２０全体の制御に加え、サービス起動メッセージをＲＡＮ−ＧＷ３０から受信した場合には、サービス管理部２２で管理されるサービス内容を参照し、サービス起動メッセージに含まれる情報に応じたサービスを開始する。サービス起動メッセージにＩＭＳＩ．Ｆｅｍｔｏが含まれる場合、制御部２２は、無線基地局の設置場所を特定すると共に、その場所に固有のサービスを提供できる。サービス起動メッセージにＩＭＳＩ．ＵＥが含まれる場合、制御部２２は、移動端末を特定すると共に、その移動端末に固有のサービスを提供できる。サービス起動メッセージに位置情報が含まれる場合、制御部２２は、無線基地局の設置場所と比較してより正確な移動端末の存在位置に固有のサービスを提供できる。サービス起動メッセージに通信状態情報が含まれる場合、制御部２２は、移動端末の通信状態に応じたサービスを提供できる。
【００３３】
以下、本実施の形態の動作を説明するが、まず、移動端末４０からの位置更新に係るメッセージをトリガとしてサービスを開始する場合の動作例(１)を、図３を参照して説明する。次に、移動端末４０からの発信に係るメッセージをトリガとしてサービスを開始する場合の動作例(２)を、図４を参照して説明する。最後に、移動端末４０への着信に係るメッセージをトリガとしてサービスを開始する場合の動作例(３)を、図５を参照して説明する。
【００３４】
なお、下記の動作例(１)〜(３)では、サービス提供サーバ２０とＲＡＮ−ＧＷ３０との間の通信がＳＩＰ(Ｓｅｓｓｉｏｎ Ｉｎｉｔｉａｌ Ｐｒｏｔｏｃｏｌ)に則して行われる場合を扱うが、この通信は、ＳＩＰ以外のプロトコル(ＭＡＰ、ＸＭＰＰ、ＨＴＴＰ等)に則して行われても良い。また、無線通信方式としてＷＣＤＭＡ(Ｗｉｄｅｂａｎｄ Ｃｏｄｅ Ｄｉｖｉｓｉｏｎ Ｍｕｌｔｉｐｌｅ Ａｃｃｅｓｓ)方式を採用する場合を扱うが、ＬＴＥ(Ｌｏｎｇ Ｔｅｒｍ Ｅｖｏｌｕｔｉｏｎ)方式等の他の無線通信方式を採用しても良い。この場合も、以降の説明が同様に適用される。
【００３５】
[動作例(１)]
図３に示すように、無線基地局１０は、コアネットワーク３への編入時、ＲＡＮ−ＧＷ３０との相互通信により、自局１０とＲＡＮ−ＧＷ３０との間でＩＰｓｅｃトンネルを確立する(ステップＳ０)。
【００３６】
移動端末４０は、ＬＡＩ(Ｌｏｃａｔｉｏｎ Ａｒｅａ Ｉｎｆｏｒｍａｔｉｏｎ)の更新(ｎｏｒｍａｌ ｌｏｃａｔｉｏｎ ｕｐｄａｔｉｎｇ)を行う場合(ステップＳ１)、ＬＯＣＡＴＩＯＮ ＵＰＤＡＴＩＮＧ ＲＥＱＵＥＳＴを無線基地局１０に送信する(ステップＳ２)。
【００３７】
ＬＯＣＡＴＩＯＮ ＵＰＤＡＴＩＮＧ ＲＥＱＵＥＳＴを受信すると、無線基地局１０は、移動端末４０が自局１０のサービスエリアへ進入したことを検知する。この時、無線基地局１０は、端末登録要求をＲＡＮ−ＧＷ３０に送信する(ステップＳ３)。
【００３８】
ＲＡＮ−ＧＷ３０は、移動端末４０をコアネットワーク３側に受け入れても良いと判断した場合、端末登録受入を無線基地局１０へ応答する(ステップＳ４)。
【００３９】
端末登録受入を受信すると、無線基地局１０は、ＬＯＣＡＴＩＯＮ ＵＰＤＡＴＩＮＧ ＲＥＱＵＥＳＴをＲＡＮ−ＧＷ３０へ転送する。ＲＡＮ−ＧＷ３０は、ＬＯＣＡＴＩＯＮ ＵＰＤＡＴＩＮＧ ＲＥＱＵＥＳＴを、コアネットワーク３へ更に転送する (ステップＳ５)。
【００４０】
この後、コアネットワーク３は、ＮＡＳ(Ｎｏｎ Ａｃｃｅｓｓ Ｓｔｒａｔｕｍ)に則した移動端末４０との相互通信により、移動端末４０を認証する(ステップＳ６)。
【００４１】
認証が終了すると、コアネットワーク３は、ＬＯＣＡＴＩＯＮ ＵＰＤＡＴＩＮＧ ＡＣＣＥＰＴをＲＡＮ−ＧＷ３０に送信する。ＲＡＮ−ＧＷ３０は、ＬＯＣＡＴＩＯＮ ＵＰＤＡＴＩＮＧ ＡＣＣＥＰＴを無線基地局１０へ転送する。無線基地局１０は、ＬＯＣＡＴＩＯＮ ＵＰＤＡＴＩＮＧ ＡＣＣＥＰＴを移動端末４０へ更に転送する(ステップＳ７)。
【００４２】
今、図２に示したサービス開始管理部３３に、無線基地局１０のＩＭＳＩ．Ｆｅｍｔｏ及び移動端末４０のＩＭＳＩ．ＵＥと、ＬＯＣＡＴＩＯＮ ＵＰＤＡＴＩＮＧ ＲＥＱＵＥＳＴが設定されたコピーフラグ及びサービス開始フラグとが対応付けて管理されているとする。この場合、ＲＡＮ−ＧＷ３０は、無線基地局１０からコアネットワーク３へＬＯＣＡＴＩＯＮ ＵＰＤＡＴＩＮＧ ＲＥＱＵＥＳＴを中継した場合に、ＬＯＣＡＴＩＯＮ ＵＰＤＡＴＩＮＧ ＲＥＱＵＥＳＴ中の情報(ＩＭＳＩ．Ｆｅｍｔｏ、ＩＭＳＩ．ＵＥ、位置情報、通信状態情報)を設定したＳＩＰ−ＲＥＧＩＳＴＥＲを、上記のサービス起動メッセージとしてサービス提供サーバ２００に送信する(ステップＳ８)。なお、サービス起動メッセージには、ＳＩＰ−ＲＥＧＩＳＴＥＲと同等の機能を実現できるのであれば、ＳＩＰで定義されている他のメッセージを用いても良い。
【００４３】
ＳＩＰ−ＲＥＧＩＳＴＥＲを受信すると、サービス提供サーバ２０は、ＳＩＰ−２００ ＯＫ(ｅｔｃ)をＲＡＮ−ＧＷ３０へ返信する(ステップＳ９)。そして、サービス提供サーバ２０は、サービス管理部２１を参照し、ＳＩＰ−ＲＥＧＩＳＴＥＲに含まれる情報(無線基地局１００のＩＭＳＩ．Ｆｅｍｔｏ、移動端末４０のＩＭＳＩ．ＵＥ、移動端末４０の位置情報、移動端末４０の通信状態情報)に対応するサービスを開始する(ステップＳ１０)。
【００４４】
例えば、サービス提供サーバ２０は、移動端末４０のＩＭＳＩ．ＵＥに対応付けて管理されている他の移動端末(図示せず)宛てに所定のメールを送信する。より具体的には、子供により所持される移動端末４０が宅内に設置された無線基地局１０に在圏すると(すなわち、子供が帰宅すると)、サービス提供サーバ２０は、親により所持される他の移動端末宛てに子供の帰宅を知らせるメールを送信する。また、サービス提供サーバ２０は、無線基地局１０のＩＭＳI．Ｆｅｍｔｏに対応付けて管理されている家電機器６０を起動(例えば、照明機器を点灯)する。或いは、無線基地局１０が店舗に設置される場合を例に取ると、サービス提供サーバ２０は、外部サーバ５０に対して、当該店舗に関する情報を移動端末４０へ配信するよう要求する。
【００４５】
このように、本動作例においては、無線基地局１０のサービスエリアへの移動端末４０の進入をトリガとして、移動端末４０を所持するユーザに対して種々のサービスを提供できる。
【００４６】
なお、ＲＡＮ−ＧＷ３０は、移動端末４０によるマクロ基地局から無線基地局１０へのハンドオーバ(例えば、コアネットワーク３から無線基地局１０へのＲＡＮＡＰ(ＲＡＮ Ａｐｐｌｉｃａｔｉｏｎ Ｐａｒｔ) ＲＥＬＯＣＡＴＩＯＮ ＲＥＱＵＥＳＴの中継)をトリガとして、サービスを起動しても良い。
【００４７】
また、ＲＡＮ−ＧＷ３０内の制御部３２は、サービスの起動に先立ち、移動端末４０がサービスの提供対象すべき移動端末か否かを判定しても良い。具体的には、制御部３２は、コピーフラグに設定されたメッセージ中のＩＭＳＩ.ＵＥが、予めサービスの提供を許可した移動端末のＩＭＳＩ．ＵＥと一致するか否かを判定する。
【００４８】
さらに、ＲＡＮ−ＧＷ３０は、ＬＯＣＡＴＩＯＮ ＵＰＤＡＴＩＮＧ ＲＥＱＵＥＳＴを中継した後であれば、サービス起動メッセージとしてのＳＩＰ−ＲＥＧＩＳＴＥＲを、いつサービス提供サーバ２００に送信しても良い。
【００４９】
[動作例(２)]
図４に示すように、無線基地局１０とＲＡＮ−ＧＷ３０との間でＩＰｓｅｃトンネルが確立しているものとする(ステップＳ２０)。
【００５０】
移動端末４０は、発信を開始する場合、無線基地局１０にＣＭ Ｓｅｒｖｉｃｅ Ｒｅｑｕｅｓｔを送信する(ステップＳ２１)。
【００５１】
ＣＭ Ｓｅｒｖｉｃｅ Ｒｅｑｕｅｓｔを受信すると、無線基地局１０は、移動端末４０がコアネットワーク３への接続が許可された移動端末であるか否かを照合する(ステップＳ２１)。例えば、無線基地局１０は、Ｗｈｉｔｅ Ｌｉｓｔに予め登録された移動端末のみをコアネットワーク３への接続対象とする。
【００５２】
照合が完了すると、コアネットワーク３は、移動端末４０を認証する(ステップＳ２３)。この認証処理は、３ＧＰＰに準拠して実行される。
【００５３】
この後、移動端末４０は、ＳＥＴＵＰを、無線基地局１０及びＲＡＮ−ＧＷ３０を介してコアネットワーク３に送信する(ステップＳ２４)。これに応じて、コアネットワーク３は、ＣＡＬＬＰＲＯＣを、ＲＡＮ−ＧＷ３０及び無線基地局１０を介して移動端末４０に送信する(ステップＳ２５)。
【００５４】
この後、コアネットワーク３は、ＲＡＢ(Ｒａｄｉｏ Ａｃｃｅｓｓ Ｂｅａｒｅｒ) ＡＳＳＩＧＮＭＥＮＴ ＲＥＱＵＥＳＴを、ＲＡＮ−ＧＷ３０を介して無線基地局１０に送信する(ステップＳ２６)。これに応じて、無線基地局１０は、自局１０と移動端末４０との間にＤＴＣＨ(Ｄｅｄｉｃａｔｅｄ Ｔｒａｆｆｉｃ Ｃｈａｎｎｅｌ)を確立する(ステップＳ２７)と共に、ＲＡＢ ＡＳＳＩＧＮＭＥＮＴ ＲＥＳＰＯＮＳＥを、ＲＡＮ−ＧＷ３０を介してコアネットワーク３へ返信する(ステップＳ２９)。
【００５５】
そして、コアネットワーク３は、着信側の移動端末(図示せず)からの呼び出し(ＡＬＥＲＴ)を、ＲＡＮ−ＧＷ３０及び無線基地局１０を介して移動端末４０へ転送する(ステップＳ２９)。
【００５６】
そして、移動端末４０は、着信側の移動端末との呼が接続された場合、通話を開始する(ＣＯＮＮＥＣＴ、ＣＯＮＮＥＣＴ ＡＣＫ、ＡＣＫ)(ステップＳ３０)。
【００５７】
上記の発信処理と並行して、ＲＡＮ−ＧＷ３０は、例えばＡＬＥＲＴ中の情報(無線基地局１０のＩＭＳＩ．Ｆｅｍｔｏ、移動端末４０のＩＭＳＩ．ＵＥ、移動端末４０の位置情報、移動端末４０の通信状態情報)を設定したＳＩＰ−ＮＯＴＩＦＹを、上記のサービス起動メッセージとしてサービス提供サーバ２００に送信する(ステップＳ３１)。なお、サービス起動メッセージには、ＳＩＰ−ＮＯＴＩＦＹと同等の機能を実現できるのであれば、ＳＩＰで定義されている他のメッセージを用いても良い。
【００５８】
ＳＩＰ−ＮＯＴＩＦＹを受信すると、サービス提供サーバ２０は、ＳＩＰ−２００ ＯＫ(ｅｔｃ)をＲＡＮ−ＧＷ３０へ返信する(ステップＳ３２)。そして、サービス提供サーバ２０は、サービス管理部２１を参照し、ＳＩＰ−ＮＯＴＩＦＹに含まれる情報(無線基地局１００のＩＭＳＩ．Ｆｅｍｔｏ、移動端末４０のＩＭＳＩ．ＵＥ、移動端末４０の位置情報、移動端末４０の通信状態情報)に対応するサービスを開始する(ステップＳ１０)。
【００５９】
例えば、サービス提供サーバ２０は、外部サーバ５０に、移動端末４０の通信状態を所定の宛先へ配信させる。より具体的には、外部サーバ５０がインスタントメッセンジャーの管理サーバであり、ユーザが、ＰＣ(Ｐｅｒｓｏｎａｌ Ｃｏｍｐｕｔｅｒ)上でインスタントメッセンジャーを操作している最中に、移動端末４０を用いて発信した場合を例に取ると、サービス提供サーバ２０は、ユーザが発信中(又は通話中)であるという現況を、管理サーバを介してインスタントメッセンジャーの通信相手に知らせる。
【００６０】
このように、本動作例においては、移動端末４０が継続して無線基地局１０に在圏している状況で、例えば発信を実施することをトリガとして、移動端末４０を所持するユーザに対して種々のサービスを提供できる。
【００６１】
なお、ＲＡＮ−ＧＷ３０は、ＩＭＳＩ．Ｆｅｍｔｏ、ＩＭＳＩ．ＵＥ、位置情報、及び通信状態情報を取得可能であれば、これらの情報をいつ取得しても良い。また、これらの情報を取得した後であれば、ＲＡＮ−ＧＷ３０は、サービス起動メッセージとしてのＳＩＰ−ＮＯＴＩＦＹを、いつサービス提供サーバ２００に送信しても良い。
【００６２】
[動作例(３)]
図５に示すように、無線基地局１０とＲＡＮ−ＧＷ３０との間でＩＰｓｅｃトンネルが確立しているものとする(ステップＳ４０)。
【００６３】
コアネットワーク３は、上記の動作例(２)で示した発信側の移動端末からのＳＥＴＵＰの受信をトリガとして、着信側の移動端末４０にＰａｇｉｎｇを送信する(ステップＳ４１)。これに応じて、移動端末４０は、Ｐａｇｉｎｇ Ｒｅｓを、コアネットワーク３へ返信する(ステップＳ４２)。
【００６４】
この後、コアネットワーク３は、移動端末４０に対する認証処理、及び３Ｇ無線秘匿を行う(ステップＳ４３及びＳ４４)。そして、コアネットワーク３は、ＳＥＴＵＰを移動端末４０に送信する(ステップＳ４５)。これに応じて、移動端末４０は、ＣＡＬＬＣＯＮＦをコアネットワーク３へ返信する(ステップＳ４６)。
【００６５】
そして、コアネットワーク３は、ＲＡＢ ＡＳＳＩＧＮＭＥＮＴ ＲＥＱＵＥＳＴを無線基地局１０に送信する(ステップＳ４７)。これに応じて、無線基地局１０は、自局１０と移動端末４０との間にＤＴＣＨを確立する(ステップＳ４８)と共に、ＲＡＢ ＡＳＳＩＧＮＭＥＮＴ ＲＥＳＰＯＮＳＥをコアネットワーク３へ返信する(ステップＳ４９)。
【００６６】
そして、移動端末４０は、発信側の移動端末へのＡＬＥＲＴを、コアネットワーク３に送信する(ステップＳ５０)。発信側の移動端末との呼が接続された場合、移動端末４０は、通話を開始する(ＣＯＮＮＥＣＴ、ＡＣＫ、ＣＯＮＮＥＣＴ ＡＣＫ)(ステップＳ５１)。
【００６７】
上記の着信処理と並行して、ＲＡＮ−ＧＷ３０は、例えばＡＬＥＲＴ中の情報(無線基地局１０のＩＭＳＩ．Ｆｅｍｔｏ、移動端末４０のＩＭＳＩ．ＵＥ、移動端末４０の位置情報、移動端末４０の通信状態情報)を設定したＳＩＰ−ＮＯＴＩＦＹを、上記のサービス起動メッセージとしてサービス提供サーバ２００に送信する(ステップＳ５２)。なお、サービス起動メッセージには、ＳＩＰ−ＮＯＴＩＦＹと同等の機能を実現できるのであれば、ＳＩＰで定義されている他のメッセージを用いても良い。
【００６８】
ＳＩＰ−ＮＯＴＩＦＹを受信すると、サービス提供サーバ２０は、ＳＩＰ−２００ ＯＫ(ｅｔｃ)をＲＡＮ−ＧＷ３０へ返信する(ステップＳ５３)。そして、サービス提供サーバ２０は、サービス管理部２１を参照し、ＳＩＰ−ＮＯＴＩＦＹに含まれる情報(無線基地局１００のＩＭＳＩ．Ｆｅｍｔｏ、移動端末４０のＩＭＳＩ．ＵＥ、移動端末４０の位置情報、移動端末４０の通信状態情報)に対応するサービスを開始する(ステップＳ５４)。
【００６９】
例えば、ユーザが外出先等の遠隔地から自宅に設置した無線基地局１０のサービスエリア内の移動端末４０に対して発信すると、サービス提供サーバ２０は、ユーザの帰宅に先立って、家電機器６０(例えば、エアコン)を起動する。また、例えば、サービス提供サーバ２０は、通信状態情報を参照して移動端末４０が着信中の状態に在ることを検知すると、家電機器６０としてのブザー装置にブザー音を鳴動させ、以てユーザに移動端末４０への着信を効果的に知らせる。
【００７０】
このように、本動作例においては、移動端末４０への着信をトリガとして、移動端末４０を所有するユーザに対して種々のサービスを提供できる。
【００７１】
なお、上記の実施の形態によって本発明は限定されるものではなく、特許請求の範囲の記載に基づき、当業者によって種々の変更が可能なことは明らかである。
【００７２】
例えば、上記の実施の形態に示したＲＡＮ−ＧＷ３０の各処理を、コンピュータに実行させるためのプログラムとして提供することもできる。この場合、当該プログラムを、コンピュータ内のプロセッサが実行可能なようにメモリ等の記憶媒体に格納すると好適である。或いは、当該プログラムは、既存の中継装置に組み込まれたファームウェアへのプラグインとして提供しても良い。
【００７３】
また、上記の実施の形態では、移動端末の識別情報としてＩＭＳＩ．ＵＥを用いたが、システムの構成如何によっては必ずしもＲＡＮ−ＧＷ３０でＩＭＳＩ．ＵＥを取得できるとは限らない。ＩＭＳＩの代わりにＴＭＳＩが得られた場合、ＲＡＮ−ＧＷ３０は、コアネットワーク３に対して、取得したＩＭＳＩに対応するＩＭＳＩを問い合わせても良い。また、ＩＭＳＩの代わりに移動端末の電話番号が得られた場合には、ＲＡＮ−ＧＷ３０は、この電話番号を移動端末の識別情報として利用しても良い。
【産業上の利用可能性】
【００７４】
本発明は、ゲートウェイ装置、通信システム、並びに通信制御方法及びプログラムに適用され、特にフェムト基地局を用いてプレゼンスサービス等のサービスを提供する用途に適用される。
【符号の説明】
【００７５】
１  通信システム
２  公衆網
３  コアネットワーク
１０  無線基地局(フェムト基地局)
１１  無線通信部
１２, ２２, ３２  制御部
２０  サービス提供サーバ
２１  サービス管理部
３０  ＲＡＮ−ＧＷ
３１  中継部
３３  サービス開始管理部
４０  移動端末
５０  外部サーバ
６０  家電機器
【図１】
0005454116.tif 000002
【図２】
0005454116.tif 000003
【図３】
0005454116.tif 000004
【図４】
0005454116.tif 000005
【図５】
0005454116.tif 000006